(57)【要約】【課題】  測定時、瞳孔の動きを停止させて瞳孔間の距離を正確に測定する瞳孔間距離計を提供する。提供する。【解決手段】  左右方向に延びる測定板２の下端部２ａに鼻当て部３が設けられ、鼻当て部３の左右に透視窓４ａ，４ｂが設けられた瞳孔間距離計１において、左右の透視窓４ａ，４ｂがある部分に、鼻当て部３中心６を基線とする目盛７がそれぞれ設けられると共に左右の透視窓４ａ，４ｂを個別に開閉するシャッター板９ａ，９ｂを設けたシャッター機構１０が備えられている。【選択図】    図３
2006158657.tif 000002
【特許請求の範囲】
【請求項１】
左右方向に延びる測定板の下端部に鼻当て部が設けられ、該鼻当て部の左右に透視窓が設けられた瞳孔間距離計において、前記左右の透視窓がある部分に、鼻当て部中心を基線とする目盛がそれぞれ設けられるとともに前記左右の透視窓を交互に開閉するシャッター板を設けたシャッター機構が備えられていることを特徴とする瞳孔間距離計。
【請求項２】
前記左右の透視窓は、透明板が設けられている請求項１記載の瞳孔間距離計。
【請求項３】
前記シャッター機構は、操作摘みを設けた摺動板と該摺動板に係合して左右の透視窓を開閉するシャッター板で構成されている請求項１記載の瞳孔間距離計。
【請求項４】
前記摺動板とシャッター板は、該シャッター板に形成された折曲溝と該折曲溝を案内として摺動する摺動板に設けられたピンで係合されている請求項３記載の瞳孔間距離計。
【発明の詳細な説明】
【技術分野】
【０００１】
本発明は、左右の眼の瞳孔間距離を測定する瞳孔間距離計に関するものである。
【背景技術】
【０００２】
眼鏡を作る上で欠かせないことの一つは、使用者の左右の眼の瞳孔間距離を測定することであり、簡易な瞳孔間距離計により測定することができる。
そして、この種の瞳孔間距離計としては、例えば、特開平６−２０５７４０号公報の図１および２に提示されているように、左右方向に摺動する重ねられた左右の板にそれぞれ測定用窓が形成され、各測定用窓中心に例えば糸からなる測定用中心線が設けられ、重ね合った部分の表側板に目盛と溝が形成され、裏側板にその溝を案内にして摺動する指針が設けられている。
【０００３】
かかる瞳孔間距離計は、被測定者が左右の板に形成された測定用窓を通じて遠方を見るようにし、左右の板を摺動して左右の眼の瞳孔と測定用中心線とをそれぞれ一致させ、その時の指針と目盛の位置から瞳孔間距離を測定するものである。
【０００４】
しかしながら、前記従来の瞳孔間距離計は、測定時、両眼の瞳孔は視力が劣っている側を補うように動いて安定しないため、瞳孔と測定用中心線とを合せ難く、瞳孔間の距離を正確に測定することが難しく、特に、一方が斜視だったりする場合には正確な測定がきわめて困難である。
【特許文献１】特開平６−２０５７４０号公報
【発明の開示】
【発明が解決しようとする課題】
【０００５】
本発明は、上記のような問題点を解決しようとするものであり、測定時、片側の瞳に注目して瞳孔の動きを停止させて瞳孔間の距離を正確に測定する瞳孔間距離計を提供することを目的としている。
【課題を解決するための手段】
【０００６】
前記課題を解決するためになされた本発明は、左右方向に延びる測定板の下端部に鼻当て部が設けられ、該鼻当て部の左右に透視窓が設けられた瞳孔間距離計において、前記左右の透視窓がある部分に、鼻当て部中心を基線とする目盛がそれぞれ設けられると共に左右の透視窓を交互に開閉するシャッター板を設けたシャッター機構が備えられている手段を特徴とする。
【０００７】
また、前記手段において、前記左右の透視窓に、透明板が設けられている構成、前記シャッター機構が、操作摘みを設けた摺動板と該摺動板に係合して左右の透視窓を開閉するシャッター板で構成されている場合、前記摺動板とシャッター板が、該シャッター板に形成された折曲溝と該折曲溝を案内として摺動する摺動板に設けられたピンで係合されている構成とするとよい。
【発明の効果】
【０００８】
本発明によれば、左右の透視窓がある部分に、鼻当て部中心を基線とする目盛がそれぞれ設けられ、また左右の透視窓に開閉するシャッター板が設けられているので、左右の透視窓を個別に開放してそれぞれ基線から瞳孔までの距離を測定することによって、瞳孔間の距離が正確に測定される。
【０００９】
つまり、測定時、一方の透視窓を開放させ他方の透視窓を閉鎖して測定すれば、開放され側の眼の瞳孔の動きを一旦停止させて安定させ、他方の眼の瞳孔の動きに影響を受けずに測定できる。従って、基線から各瞳孔までの距離を測定し、両測定値をプラスすることにより瞳孔間の距離が正確に測定される。
【００１０】
また、本発明において、左右の透視窓に透明板が設けられているので、その透明板の表面を含む測定板上に目盛が付せられる。従って、測定時、瞳孔の位置を透明板表面に付された目盛により計測することによって、より正確な測定が行われる。
【００１１】
更に、シャッター機構が、操作摘みを設けた摺動板と左右の透視窓を開閉するシャッター板で構成されているので、部品点数が少ない構成になっている。従って、瞳孔間距離計にこのようなシャッター機能を備えても、それほど費用はかからず廉価なものとなる。
【００１２】
摺動板とシャッター板が、折曲溝とピンとの係合によって係合されているので、簡単な摺動機構で可動できる。従って、前記シャッター機構が、操作摘みを設けた摺動板と左右の透視窓を開閉するシャッター板で構成されているの点と相俟って、簡単な構造の瞳孔間距離計が得られる。
【発明を実施するための最良の形態】
【００１３】
以下、図面に示した本発明の実施の形態について、説明する。
【００１４】
図１は、本発明の一実施の形態に係る瞳孔間距離計の斜視図、図２は図１の瞳孔間距離計の背面側から見た斜視図、図３は分解斜視図、図４（ａ），（ｂ）は図１の瞳孔間距離計による測定方法を示した裏カバーを外してシャッター機能を露出させた状態の要部斜視図である。
【００１５】
本実施形態の瞳孔間距離計１は、左右方向に延びる測定板本体２における下端部２ａの略中央部に鼻当て部３がその設けられている。この鼻当て部３は逆Ｕ字形の凹部からなり、その左右の部分には横長矩形状の透視窓４ａ，４ｂが形成されている。これらの透視窓４ａ，４ｂには透明板５がそれぞれ嵌め込まれて、被測定者はその透視窓４ａ，４ｂを通じて外側を見ることができ、一方外側からは被測定者の両眼を見ることができ、透明板５がある透視窓４ａ，４ｂ部分には、透明板５表面を含む測定板２上に鼻当て部３の中心６を基線として目盛７がそれぞれ付されている。
【００１６】
また、透視窓４ａ，４ｂの裏側部分には、シャッター収納部８，８がそれぞれ形成され、その収納部８，８にシャッター機構１０が収納されている。シャッター機構１０は、操作摘み１１を設けた摺動板１２と、その摺動板１２と係合するシャッター板９ａ，９ｂとで構成されている。
【００１７】
摺動板１２とシャッター板９ａ，９ｂは、シャッター板９ａ，９ｂに形成された折曲溝１３ａ，１３ｂとその溝を案内として摺動するシャッター板９ａ，９ｂ側のピン１４ａ，１４ｂが係合されて、摺動板１２の左右方向の摺動によってシャッター板９ａ，９ｂが上下に摺動して透視窓４ａ，４ｂが個別に開閉される。即ち、操作摘み１１の操作によって、左右の透視窓４ａ，４ｂが交互に開放又は閉鎖するようになっている。尚、測定板２の裏側には、裏カバー１５が止めねじ１６，１６２より取り付けられている。
【００１８】
図４（ａ）は基線から一方の眼の瞳孔までの距離、図４（ｂ）は基線から他方の眼の瞳孔までの距離をそれぞれ測定する様子を示したものである。
【００１９】
図４（ａ）に示すように、例えば操作摘み１１を矢印Ａ方向に移動させて、摺動板１２を右側に移動すると、折曲溝１３ａ内を摺動するピン１４ａが折曲溝１３ａを有するシャッター板９ａを押し上げて透視窓４ａが開放される。一方、折曲溝１３ｂ内を摺動するピン１４ｂは、シャッター板９ｂを押し下げて透視窓４ｂが閉鎖される。
【００２０】
この状態で被測定者の眼に光を当てると、開放されている左側の眼の瞳孔が輝いて測定板２表面に付された目盛７によって基線から左側の眼の瞳孔までの距離が測定される。
【００２１】
次に図４（ｂ）に示すように、操作摘み１１を矢印Ｂ方向に移動させて、摺動板１２を左側に移動すると、折曲溝１３ｂ内を摺動するピン１４ｂが折曲溝１３ｂを有するシャッター板９ｂを押し上げて透視窓４ｂが開放される。一方、折曲溝１３ａ内を摺動するピン１４ａは、シャッター板９ａを押し下げて透視窓４ａが閉鎖される。
【００２２】
この状態で被測定者の眼に光を当てると、開放されている右側の眼の瞳孔が輝いて測定板２表面に付された目盛７によって基線から左側の眼の瞳孔までの距離が測定される。
【００２３】
その後、基線から左側の眼の瞳孔までの距離の測定値と基線から右側の眼の瞳孔までの距離の測定値をプラスすることにより、他の眼の瞳孔の動きに影響されることなく、瞳孔間距離が正確に測定される。
【００２４】
このように本実施の形態によれば、一方のシャッター板9ａ（９ｂ）を開放し他方のシャッター板９ｂ（9ａ）を閉鎖しておいて、左右の眼の瞳孔位置を測定するので、他の眼の瞳孔の動きに影響を受けることなく測定が可能となる。従って、基線から左右の眼の瞳孔までの距離を測定し、両測定値をプラスすることによって、瞳孔間の距離が正確に測定される。
【００２５】
前記実施の形態は、左右のシャッター板9ａ，９ｂの開閉を一つの操作摘み１１で操作する方式になっているが、左右のシャッター板9ａ，９ｂの開閉をそれぞれ独立の操作摘みで操作する方式することができる（図示せず）。
また本発明は、前実施の形態のような折曲溝とピンとの係合によるシャッター板を開閉する作動伝達方式だけでなく、例えば扇状の歯板と板状の歯板との係合による方式等のように他の異なる作動伝達方式が採用できる（図示せず）。
【図面の簡単な説明】
【００２６】
【図１】本発明の一実施の形態に係る瞳孔間距離計の斜視図である。
【図２】図１の瞳孔間距離計の背面側から見た斜視図である。
【図３】図１の瞳孔間距離計の分解斜視図である。
【図４】図１の瞳孔間距離計による測定方法を示した裏カバーを外した状態の要部斜視図である。
【符号の説明】
【００２７】
１  瞳孔間距離計、  ２  測定板、  ３  鼻当て部、  ４ａ，４ｂ  透視窓、５  透明板、  ６  中心、  ７  目盛、  ９ａ，９ｂ  シャッター板、  １０  シャッター機構、  １１  操作摘み、  １２  摺動板、  １３ａ，１３ｂ  折曲溝、  １４ａ，１４ｂ  ピン
【図１】
2006158657.tif 000003
【図２】
2006158657.tif 000004
【図３】
2006158657.tif 000005
【図４】
2006158657.tif 000006